(57)【要約】      （修正有）【課題】  微生物の分解作用を利用した室内ポータブルトイレ用糞尿処理装置で、構造が簡易で十分な糞尿の消滅能力を有し、既存の室内用ポータブルトイレに容易に且つ短時間で装着することで、該ポータブルトイレを自己処理型ポータブルバイオトイレ化する。【解決手段】バケツ型円筒形状の糞尿収容容器５ａに、高さ方向の位置決め調整アジャストボルト５Ｋを設けることにより、室内ポータブルトイレへの容易に取付け、又、十分な糞尿の消滅をするために、容器５ａの内側面に突起物５ｅが設けることにより容器内充満材の十分な攪拌を可能にした。又、糞便臭抑制対策としては、攪拌羽根５ｃに取付けられたスクレーパー５ｆが容器５ａ内側面の腐敗皮膜堆積を防止する。又、充満材の温度調整機能としては、保温断熱材と共に容器５ａ外側面と外底面に施されたヒーター５ｈがサーモスタットでコントロールされる。【選択図】  図４
2005312875.tif 000002
【特許請求の範囲】
【請求項１】
微生物の分解作用を利用して糞尿を消滅させるために、室内用ポータブルトイレの内部に便槽（汚物溜め容器）の代わりに装着するものとして、装着の容易性及び汎用性を実現するため、糞尿収容容器を高さ調整機構を具備したバケツ型円筒形状とし、該糞尿収容容器側面に、攪拌時、充満材（微生物の母材である木片チップと糞尿）の空転抑制と攪拌効率向上のための突起物が設けられている攪拌機構を有することを特徴とする室内ポータブルトイレ用糞尿処理装置。
【請求項２】
上記攪拌機構を構成するモーター駆動による攪拌羽根には、上記糞尿収容容器側面に受容糞便の堆積皮膜が形成されることを阻止するためのスクレーパーが設けられていることを特徴とする室内ポータブルトイレ用糞尿処理装置。
【発明の詳細な説明】
【技術分野】
【０００１】  本発明は、例えば（ａ）図１に示すような家庭、老人介護施設、病院等で使用されている室内用ポータブルトイレにおける糞尿を消滅処理するための糞尿処理装置に関する。
【背景技術】
【０００２】  微生物の分解作用を利用することで糞尿を消滅させる自己処理型の室内用ポータブルトイレ（以後、ポータブルバイオトイレと呼ぶ）としては、（ｂ）図２に示すように、椅子機能を具備した便座３（以後、椅子便座３と呼ぶ）と、その下部に設置される糞尿消滅処理機能を具備した便槽４−１又は４−２（以後、糞尿処理装置と呼ぶ）で構成するものが知られており、市販されているものもある。【０００３】  一方、（ａ）の室内ポータブルトイレは、（ｂ）のポータブルバイオトイレの椅子便座３と同様の機能を有する椅子便座１と単なる汚物溜めとしての着脱可能な便槽２で構成されるが、便槽２の代わりに（ｂ）の糞尿処理装置４と同様の機能を有する糞尿処理装置を（ａ）に組み込めば、（ａ）は（ｂ）と同様のポータブルバイオトイレとなり得る。【０００４】  しかし、従来の（ｂ）の糞尿処理装置４−１においては図２に示すように、耕運機と同様の攪拌形態であり、容器断面がＵ字形状である。このような形態の糞尿処理装置は、後述（０００８及び０００９）するように、形状、サイズが異なる種々のメーカー製の（ａ）の室内用ポータブルトイレへの組み込みが、椅子便座１から落下する糞尿の確実な収容という課題を克服しつつ、尚且つ、短時間内での完了が容易ではなかった。このような理由で、（ｂ）の糞尿処理装置４−１は、単体製品としてではなく、その形状、サイズ、構造に適合した専用の椅子便座３と一体となって（ｂ）のポータブルバイオトイレという製品の一部として組み込まれている。【０００５】  一方、糞尿処理装置４−２（特許文献１，２）は、本発明と同様に、円筒容器内で攪拌形態を採ってはいるが、公開されている情報では必ず消臭機構を具備したものとなっている。さて、本発明の方式も含めて、円筒容器での糞尿の分解消滅においては、微生物母材である木片チップと受容糞尿（以下、充満材と呼ぶ）の攪拌方式は、円筒容器内で回転羽根が容器底部に設けられた駆動モーターにより充満材を掻き混ぜる方法を採っている。これら公開情報には、糞尿の完全消滅と糞便臭の関係はさておき、必ず消臭機構が具備されている。このため、糞尿処理装置４−２は装置機構が複雑化し、且つ装置全体サイズのコンパクト化が困難であることより、糞尿処理装置４−１と同様に、一般市販化されている（ａ）の室内ポータブルトイレに組み込むことに対して容易性及び汎用性を有していない。【０００６】  又、室内ポータブルトイレの中に組み込むことが可能と思われる糞尿処理装置として、上記記載の４−１，４−２以外にも、特許文献４の糞尿受容容器が回転することによって、あるいは、特許文献３の振動することによって充満材の攪拌を期するものがある。しかし、特許文献４のケースは４−１の攪拌形態に分類でき、４−１に比して攪拌力が劣ることは明白である。又、特許文献３の振動方式は、居室内で装置が振動することは使用者に不快感を与えることは明白である。このような観点から、特許文献３及び４の方式は実用性に欠ける。【０００７】  以上の理由により、ポータブルバイオトイレの利用希望者は、例え（ａ）の室内用ポータブルトイレを所有していても、便槽の代わりとして糞尿処理装置を購入して、所有する該ポータブルトイレをバイオトイレ化する手段がなく、新たに（ｂ）のように椅子便座と糞尿処理装置が一体になっている高価なポータブルバイオトイレという製品を購入する以外に選択肢がなかった。
【特許文献１】特開２００２−２３８８０３（Ｐ２００２−２３８８０３Ａ）
【特許文献２】特開２００２−３５５２７７（Ｐ２００２−３５５２７７Ａ）
【特許文献３】特開２００３−２６５３５５（Ｐ２００３−２６５３５５Ａ）
【特許文献４】特開２００３−１８０５５８（Ｐ２００３−１８０５５８Ａ）
【発明の開示】
【発明が解決しようとする課題】
【０００８】  （ａ）の室内用ポータブルトイレの椅子便座１から落下する糞尿の確実な収容を期するためには、例え糞尿処理装置が（ｂ）の糞尿処理装置４−１ような形態であっても、図３に示すように、（ａ）の椅子便座１の本体開口部１ａ（以後、本体開口部１ａと呼ぶ）と、糞尿収容容器４ａの受け口４ｂを、薄板４ｃで連結することで解決できる。【０００９】  しかし、（ａ）の本体開口部１ａはメーカー、又はタイプにより形状及びサイズが様々であり、更には（ａ）の椅子便座１の該本体開口部下部の空間深さ及び空間形状も同様に様々である。このような条件下、（ａ）のポータブルトイレを定期的に使用しなければならない身体的制約を受けている希望者の居住場所において、希望者の排泄行為と次の排泄行為までの限られた時間内（通常、２時間から３時間）に、（ｂ）のような従来型の糞尿処理装置を０００８に記載した方法で、複雑な形状が予想される薄板４ｃをスピーディにその場で製作し、（ａ）のトイレに組付けることは、実際には困難である。【００１０】  本発明は、このような問題点に鑑みてなされたもので、所有する室内用ポータブルトイレを簡便にバイオトイレ化したいという希望者の要望に応えると同時に、装置の構造が簡易で、該ポータブルトイレへの組込も短時間に容易に施工可能な糞尿処理装置を得ることを目的とする。又、本発明は、糞尿の確実な消滅と糞便臭の発生を抑制する糞尿処理装置を得ることを目的とする。尚、本発明は糞尿以外の有機物への適用が可能である。
【課題を解決するための手段】
【００１１】  本発明は、微生物の分解作用を利用して糞尿を消滅させるために、室内用ポータブルトイレの内部に便槽（汚物溜め容器）の代わりに装着するものとして、装着の容易性及び汎用性を実現するため、図４に示すように、高さ調整機構を有する円筒形の糞尿収容容器５ａを具備し、糞尿収容容器５ａの側面には、攪拌時、充満材の空転抑制と攪拌効率向上のための突起物５ｅが設けられている攪拌機構を有することを特徴とする。
更には、糞便臭の発生源の一つである糞尿収容容器５ａの側面に経時堆積していく糞便皮膜の形成を抑制するために、図４に示すように容器側面に密着しながら移動するスクレーパー５ｆが、上記攪拌機構を構成するモーター駆動で回転する攪拌羽根５ｃに設けられていることを特徴とする
【発明の効果】
【００１２】  上記室内ポータブルトイレ用糞尿処理装置によれば、室内用ポータブルトイレに便槽の代わりとして該糞尿処理装置を容易に装着できる。そして、該ポータブルトイレを悪臭の少ない自己処理型ポータブルバイオトイレとして活用できる。
【本発明を実施するための最良の形態】
【００１３】  本発明による室内ポータブルトイレ用糞尿処理装置は、図４に示すように装置形状をバケツ形状とすることで、既存のポータブルトイレに短時間に、且つ容易に組付けることを実現した。又、便座から落下する糞尿は収容容器５ａの側面に付着することなしに確実に容器内に受容される。
更には、収容容器５ａの側面に設けた突起物５ｅの作用で、収容容器５ａ内の充満材を空転させることなく、効率よく攪拌することにより微生物の分解作用を活性化し、受容糞尿を所定時間内に確実に分解消滅する。
又、スクレーパー５ｆの作用で、腐敗臭の発生源となる容器側面の堆積皮膜の形成を抑制するので、特別の消臭機構を具備する必要がない。
【実施例】
【００１４】  以下、この考案の実施例を図１〜図６を参照して説明する。図１に示すのは、老人、けが人等、歩行に何らかの障害を抱える人が居室内で使用する室内用ポータブルトイレであり、椅子便座１、便槽２からなる。該ポータブルトイレの利点は、使用者が所定のトイレまで移動することなしに排泄行為をベッドサイドで行える点にある。一方、居室内に不快な糞便臭が漂うことと、便槽２に溜まる排泄物を必要に応じて介護者が処理しなければならないという欠点が存在する。該ポータブルトイレのこのような欠点を解消する目的で考案されたのが、微生物の分解作用を利用することで糞尿を消滅させるポータブルバイオトイレであり、図２に示すように、図１のポータブルトイレと同様の椅子便座３と、図１の便槽の機能を有しつつ、糞尿の消滅機能を具備する糞尿処理装置４（４−１，４−２）で構成される。【００１５】  しかし、０００４〜０００７で述べたように、図２のポータブルバイオトイレの糞尿処理装置４は、該バイオトイレの椅子便座３に対してのみ適合されるように考案されており、一般市販品である図１に示す（ａ）の室内ポータブルトイレへの組込は、実際には困難であった。
そこで、様々な形状、サイズを有する室内用ポータブルトイレに対し、フレキシブル且つ容易に組込可能なように工夫されたものが、図４に示す本発明の室内ポータブルトイレ用糞尿処理装置５であり、便槽機能、攪拌機能、微生物母材の温度調節機能、そして該ポータブルトイレの椅子便座１から落下する糞尿を確実に受容するために、糞尿処理装置５を椅子便座１の適切な位置に装着するための位置調整機能が具備されている。【００１６】  便槽機能としては攪拌容器を兼ねた糞尿収容容器５ａが相当する。攪拌機能はセンターシャフト５ｂ、水平攪拌羽根５ｃ、補助攪拌羽根５ｄ、空転防止突起棒５ｅ、腐敗物抑制スクレーパー５ｆ、駆動モーター５ｇで構成される。微生物母材の温度調節機能はヒーター５ｈ、サーモスタット５ｉ、保温断熱材５ｊで構成される。位置調整機能は収容容器高さ調整用アジャストボルト５ｋ、水平方向ズレ止めインシュロックバンド５ｍで構成される。【００１７】  本実施例の特徴の一つは、図４に示す攪拌容器を兼ねた糞尿収容容器５ａの形状が円筒状のバケツ形状となっている点にある。図１に示すように、一般的に室内用ポータブルトイレ本体には、便座形状に擬した本体開口部１ａが存在する。
装置装着の要領としては、先ず、図４に示す糞尿収容容器５ａが図１に示す（ａ）の室内用ポータブルトイレの椅子便座１の本体開口部１ａ下部の便槽２が収まっていた空間に設置され、アジャストボルト５ｋにより本体開口部１ａの下面に押し付けられるまで高さ調整される。そして、水平方向の位置決めを行った後、糞尿収容容器５ａは水平方向のズレ防止のため、インシュロックバンド５ｍでポータブルトイレ本体に固縛される。特殊な形状を有するポータブルトイレは例外として、大多数の室内用ポータブルトイレに対しては、装着作業としては上記の通り、容易に短時間に完了することが可能である。
ここで、図５に示すように、糞尿収容容器５ａの開口は、本体開口部１ａの大きさよりも大きく設計されている。
一方、糞尿は本体開口部１ａの上に位置する便座１ｂの開口部１ｃより落下する。便座開口部１ｃは本体開口部１ａより更に小さいので、落下糞尿は本体開口部１ａより大きな開口を有する糞尿収容容器５ａの中に確実に受容される。このように糞尿収容容器５ａの開口は、本体開口部１ａよりも大きなサイズの円形であるため、装置の水平方向の位置決めは容易であるので、０００８及び０００９に記載されたような薄板４ｃの製作と取付は不要である。【００１８】  このように、図４に示す本発明による糞尿処理装置５は、糞尿収容容器５ａがバケツ形状となっている特徴を活かして、室内ポータブルトイレへの装着は容易であり、その所要時間は短時間で済むので、該ポータブルトイレ使用者にとって、装着作業の間、他のトイレを使用しなければならないという用便上の支障がない。更に、糞尿処理装置として、他の考案に見られる消臭機構を例とする収容容器以外の別途独立機構は存在せず、必要な全ての機構は糞尿収容容器５ａに付属取付されているので、収容容器５ａの装着は糞尿処理装置５の装着を意味することにより、上述以外の装着作業はなく、又、一般市販品である室内ポータブルトイレ便座下部の空間へ無理なく収まる。【００１９】  次に、糞尿処理装置の本質的な課題は、糞尿の確実な分解消滅能力を有することである。いくら室内ポータブルトイレへの装着性に優れていても、この点が不十分であれば、糞尿処理装置としての機能が果たせない。この観点において、従来、本発明が採用するバケツ形状収容容器内における攪拌方式では、後述するように、容器内充満材が容易に空転するという問題点の存在により、十分な攪拌効果が期待できず、糞尿の確実な分解消滅を実現することが困難であった。【００２０】  本発明は、上記問題を以下のように解決した。図４に示すように、収容容器５ａの内部には、駆動モーター５ｇにより時計回り（正転）、又は反時計回り（逆転）、あるいは正転・逆転の繰り返しで回転するセンターシャフト５ｂが設けられており、該センターシャフト５ｂの適当な位置には、水平方向に１個〜複数個の攪拌羽根５ｃが連結してある。
収容容器５ａの中の充満材である適当な量の微生物と、微生物の母材である木片チップ及び受容糞尿は、攪拌羽根５ｃが回転することにより攪拌される。【００２１】  ここで、微生物が活性化する条件として、微生物が十分に空気（酸素）と接触することが必要である。ところが、攪拌により、尿がしみ込んで含水率が高かった充満材の乾燥が経時進行していくと、攪拌羽根５ｃの回転圧により、水分が飛んで質量的に軽くなった充満材全体が回転し出す現象が具現する。（以後、この現象を充満材の空転と呼ぶ）。
例えて言えば、攪拌羽根５ｃに代えて、十分な面積を有する平板を回転させた場合、充満材の攪拌現象は起こらず、単に充満材全体が回転するだけである。
このように、充満材は攪拌により乾燥が進むと、攪拌羽根５ｃの少しの回転圧で容易に空転現象に陥る。
当然のことながら、充満材が空転を始めると、表面層以外の充満材は空気接触しないので、この時点から微生物による糞便の分解消滅は期待できなくなる。
このように、本実施例の如く、従来、糞尿収容容器が円筒形状の糞尿処理装置は、室内用ポータブルトイレへの容易な装着を可能にするという利点に反し、糞尿の確実な分解・消滅を期するための十分な充満材の攪拌が困難であるという問題を含有していた。【００２２】  そこで、本実施例では、この問題を解決するために、図４に示すように、攪拌羽根５ｃ及び補助攪拌羽根５ｄと干渉しない糞尿収容容器５ａの側面の適当な位置に、１個〜複数個の適当な突起長さと径を有する充満材空転防止突起棒５ｅを設けた。この突起棒５ｅにより、充満材全体が空転することを阻止することが可能となり、【０００４】に記載した耕運機方式と同様のダイナミックな攪拌が実現でき、充満材に生息する微生物全体への十分な酸素供給による糞尿の完全な分解消滅が可能となった。【００２３】  尚、微生物の活性化、及び糞尿の水分蒸発の促進という２つの目的で、本実施例においても、図６に示すように、サーモスタット５ｉで温度制御されるヒーター５ｈを収容容器５ａの底面外側と側面外側に取り付けてある。
又、ヒーター５ｈは保温断熱材５ｊでカバーされており、利用者又は関係者の火傷事故を防止すると共に、熱効率アップによる消費電力の増加を抑制している。【００２４】  又、収容容器５ａの側面には、受容糞便の一部が徐々に堆積して堆積皮膜５ｐを形成する。この堆積皮膜５ｐは、例えば空中浮遊菌に容易に接触し、腐敗が進行する。この腐敗した堆積皮膜５ｐが腐敗臭を発散させる原因である。
そこで、本実施例では、糞便臭又腐敗臭の問題を特別な消臭機構を具備することなしに解決するために、図４に示すように、糞尿収容容器５ａの側面に密着しながら移動するように、スクレーパー５ｆを攪拌羽根５ｃの端部に取り付けてある。
スクレーパー５ｆの作用により、糞尿収容容器５ａの側面には未分解糞便の堆積皮膜の形成は阻止され、糞便臭又は腐敗臭の発生が抑制されるので、本実施例の糞尿処理装置５においては、特に消臭機構を具備する必要がない。
【図面の簡単な説明】
【００２５】
【図１】従来の室内用ポータブルトイレの斜視図である。
【図２】従来の室内用自己処理型ポータブルバイオトイレの斜視図である。
【図３】従来の室内用自己処理型ポータブルバイオトイレを、従来の室内用ポータブルトイレに組み込む上で、必要な材料と作業難易性を補足する斜視図である。
【図４】実施例の糞尿処理容器の斜視図である。
【図５】従来の室内用ポータブルトイレに対し、実施例における糞尿処理装置の糞尿の確実な受容、及び装着の容易性を補足する斜視図、及び関連平面図である。
【図６】ヒーター関連部の斜視図と関連図である。
【符号の説明】
【００２６】１  椅子便座（ポータブレトイレ）
１ａ  本体開口部（ポータブルトイレ）
１ｂ  便座
１ｃ  便座開口部
２  便槽（ポータブルトイレ）
３  椅子便座（自己処理型ポータブルバイオトイレ）
４  糞尿処理装置（自己処理型ポータブルバイオトイレ）
４ａ  糞尿収容容器（自己処理型ポータブルバイオトイレ）
４ｂ  受け口（自己処理型ポータブルバイオトイレ）
４ｃ  薄板
５  糞尿処理装置
５ａ  糞尿収容容器
５ｂ  センターシャフト
５ｃ  攪拌羽根
５ｄ  補助攪拌はね
５ｅ  空転防止突起棒
５ｆ  堆積腐敗皮膜抑制スクレーパー
５ｇ  駆動モーター
５ｈ  ヒーター
５ｉ  サーモスタット
５ｊ  保温断熱材
５ｋ  収容容器高さ調整用アジャストボルト
５ｍ  水平方向ズレ止めインシュロックバンド
５ｐ  堆積皮膜
【図１】
2005312875.tif 000003
【図２】
2005312875.tif 000004
【図３】
2005312875.tif 000005
【図４】
2005312875.tif 000006
【図５】
2005312875.tif 000007
【図６】
2005312875.tif 000008